(57)【要約】  縦軸（１６１ａ）の周囲に配列された発光ランプ容器（１６１）と、該ランプ容器を支持するベース（１６２）と、電気接触接続部（１６４）とを含むランプにおいて、前記ベースは、前記縦軸に対して垂直に伸長する周縁フランジ（１６３）を含んでおり、前記電気接触接続部は、前記周縁フランジに取り付けられており、前記発光ランプ容器（１６１）に電力を供給するために使用され、前記周縁フランジ（１６３）から前記縦軸（１６１ａ）とは平行方向に伸長している、ことを特徴とするランプ。
2010507195.tif 000002
【特許請求の範囲】
【請求項１】
縦軸の周囲に配列された発光ランプ容器と、該ランプ容器を支持するベースと、電気接触接続部とを含むランプにおいて、
前記ベースは、前記縦軸に対して垂直に伸長する周縁フランジを含んでおり、
前記電気接触接続部は、前記周縁フランジに取り付けられており、
前記発光ランプ容器に電力を供給するために使用され、前記周縁フランジから前記縦軸とは平行方向に伸長している、
ことを特徴とするランプ。
【請求項２】
前記周縁フランジは、前記発光ランプ容器に向いた前面を有し、
前記電気接触接続部は、前記前面の上に配置されており、前記発光ランプ容器の方へ伸長している、
ことを特徴とする請求項１記載のランプ。
【請求項３】
前記周縁フランジは、前記発光ランプ容器とは離れた裏面を有し、
前記電気接触接続部は、前記裏面の上に配置されており、前記発光ランプ容器とは離れた方へ伸長している、
ことを特徴とする請求項１記載のランプ。
【請求項４】
前記電気接触接続部は、円筒状の突起部を含む、
ことを特徴とする請求項１から３のいずれか一項記載のランプ。
【請求項５】
前記周縁フランジはランプ保持部を含む、
ことを特徴とする請求項１記載のランプ。
【請求項６】
前記ランプ保持部は、前記電気接触接続部に対して直交している、
ことを特徴とする請求項５記載のランプ。
【発明の詳細な説明】
【技術分野】
【０００１】
本発明は、ランプ、より詳細には前方の装着位置または後方の装着位置から装着可能なランプに関する。
【０００２】
ランプ固定具の製造者は、前方位置または後方位置のうちのどちらか一方からランプを受容する高出力ランプ用固定具を設計する。このような設計により、多数の種々異なるランプおよびソケットが必要となる。当然、これにより製造者は、種々異なるランプおよびソケットの在庫目録を保持しなければならず、固定具設計のアプローチは高コストかつ面倒となる。したがって、前方から装着する固定具または後方から装着する固定具に装着することができる、種々異なる構成を有するランプを提供することは有利であろう。
【０００３】
本発明の課題は、これまで述べてきた従来技術の欠点を克服することである。
【０００４】
本発明のさらなる課題は、ランプソケットを改善することである。
【０００５】
本発明のさらなる課題は、種々異なる位置から種々異なるランプに使用可能なランプソケットを提供することである。
【０００６】
この課題は、本発明の１つの観点によれば、以下のようなランプによって解決される。すなわち、縦軸の周囲に配列された発光ランプ容器と、該ランプ容器を支持するベースと、電気接触接続部とを含むランプにおいて、前記ベースは、前記縦軸に対して垂直に伸長する周縁フランジを含んでおり、前記電気接触接続部は、前記周縁フランジに取り付けられており、前記発光ランプ容器に電力を供給するために使用され、前記周縁フランジから前記縦軸とは平行方向に伸長している、ことを特徴とするランプによって解決される。
【図面の簡単な説明】
【０００７】
【図１】前方装着型固定具の概略図である。
【図２】後方装着型固定具の概略図である。
【図３】本発明の実施例を示すランプの斜視図である。
【図４】本発明の実施例を示すランプの斜視図である。
【図５】本発明の実施例を示すランプの斜視図である。
【０００８】
本発明を、別のさらなる課題、またその利点および性能とともにより良く理解するために、以下の明細書および特許請求の範囲を、図面に関連して参照されたい。
【０００９】
詳細に図示した図面によれば、図１には、（前方から装着する）前方装着型固定具１００が示されており、この前方装着型固定具１００は、前方部分１２０と後方部分１３０とを含むハウジング１１０を有する。後方部分１３０は、支持部１４０に固定することができ、前方部分１２０は、ソケット１０に挿入されるランプ１６０にアクセスするために、ヒンジ１５０を介して開放することができる。ランプ１６０は矢印１７０および１８０で示す方向に、ソケット１０に挿入され、またソケット１０から取り除かれる。
【００１０】
後方装着型固定具２００は、図２に示されており、ここでは後方装着型固定具２００は、前方部分２２０と後方部分２３０とを備えるハウジング２１０を有する。この実施例では、支持部２４０と固定されているのは前方部分２２０であり、後方部分２３０は、ソケット１０に挿入されるランプ１６０にアクセスするために、ヒンジ２５０を介して開放することができる。後方装着型固定具２００のためのランプ１６０は、矢印２７０および２８０で示すように後方から挿入され、また取り除かれる。
【００１１】
図３から５によれば、所期の結果を達成できるランプ１６０は、容器１６１を含んでおり、この容器１６１は、高温セラミックまたはプラスチック等の適当な材料からなるリバーシブルのベース１６２を有する。ベース１６２は、１組のランプ接触接続部１６４を備えるフランジ１６３を含み、これらのランプ接触接続部は、フランジの上にそれぞれ反対の位置に配置されており、かつフランジから突出している。ランプ保持部１６５は、フランジ１６３とともに形成され、ランプ接触接続部１６４に対して直交している。ベース１６２は、図３に示すように長い本体を有するか、もしくは図４および５に示すように短い本体を有することができ、タングステンハロゲン容器、アーク放電容器、別の発光物質を含む容器など、種々異なる発光ランプ容器１６１の型に対応している。容器は、種々異なる焦点を提供するために、種々異なる長さとすることができる。
【００１２】
図３および４に示すように、ランプ１６０は、円筒状の突起部１６４ａおよび１６４ｂの形態のランプ接触接続部１６４を有し、これらの突起部は、正面に、すなわちランプ容器に向いている。これらのランプは器具２００とともに使用され、ここではランプは、器具の後方から挿入される。
【００１３】
図５に示すランプ１６０は、後方に向いた、すなわちランプ容器から離れたランプ接触接続部１６４を有する。このランプは器具１００とともに使用され、ここではランプは器具の前方から挿入される。
【００１４】
ランプ導入線からの電気接続は、フランジ１６３の中に設けられた溝１７０を介して供給され、これらの溝の１つが、図５に図示されている。
【００１５】
これまで、本発明の有利な実施形態と見なせるものについて図示しながら説明してきたが、特許請求の範囲によって規定されている本発明の範囲を逸脱することなく、様々な変更および改良を行い得ることは当業者にとって自明である。
【図１】
2010507195.tif 000003
【図２】
2010507195.tif 000004
【図３】
2010507195.tif 000005
【図４】
2010507195.tif 000006
【図５】
2010507195.tif 000007
【国際調査報告】
2010507195.tif 000008